(57)【要約】      （修正有）【課題】シールドシェルのがた付きを防止する。【解決手段】コネクタ１０は、端子金具を収容する合成樹脂製のハウジング２０と、ハウジング２０に形成された収容部２６内に挿入されて、端子金具の周りを包囲する金属板製のシールドシェル４０とを備える、シールドシェル４０には凸部５１が設けられ、ハウジング２０にはシールドシェル４０が収容部２６に収容された状態で凸部５１を受容する凹部３６が設けられている。凹部３６の内面には、シールドシェル４０の収容部２６への挿入方向と直交する方向で凸部５１と当接可能な係止面が含まれている。したがって、凸部５１が凹部３６内に嵌合することにより、ハウジング２０内におけるシールドシェル４０の遊動が規制される。【選択図】図４
2010021046.tif 000002
【特許請求の範囲】
【請求項１】
端子金具を収容する合成樹脂製のハウジングと、前記ハウジングに形成された収容部内に挿入されて、前記端子金具の周りを包囲する金属板製のシールドシェルとを備えたシールドコネクタであって、
前記シールドシェルには凸部が設けられ、前記ハウジングには前記シールドシェルが前記収容部に収容された状態で前記凸部を受容する凹部が設けられており、前記凹部の内面には、前記シールドシェルの前記収容部への挿入方向と直交する方向で前記凸部と当接可能な係止面が含まれていることを特徴とするシールドコネクタ。
【請求項２】
前記凸部は、その突出方向の途中で折り曲げられ、その折り曲げの先端部が前記凹部の前記係止面に当接可能とされている請求項１記載のシールドコネクタ。
【請求項３】
前記凸部が前記シールドシェルの内側に向けて折り曲げられている請求項２記載のシールドコネクタ。
【請求項４】
前記凸部は、前記シールドシェルが前記収容部に正規収容される直前の挿入終盤段階で、前記凹部内に圧入される請求項１ないし３のいずれか１項記載のシールドコネクタ。
【請求項５】
前記ハウジングには前記シールドシェルの前記収容部からの抜け出しを規制するリテーナが装着され、前記リテーナには、前記ハウジングへの装着過程で前記凸部を押圧し、前記ハウジングに正規装着されるに伴って前記凸部を前記凹部に正規深さで嵌合させる押圧部が設けられている請求項１ないし４のいずれか１項記載のシールドコネクタ。
【発明の詳細な説明】
【技術分野】
【０００１】
本発明は、シールドコネクタに関する。
【背景技術】
【０００２】
従来のシールドコネクタとして、例えば、特許文献１に記載のものが知られている。これは、シールド電線の芯線の端末に接続される端子金具と、端子金具を収容するハウジングと、ハウジングの収容部内に挿入され、端子金具の周りを包囲するとともに、シールド電線のシールド部と接触するシールドシェルとを備えている。シールドシェルは、ハウジング内において、収容部に形成された段付き面に自身の折り曲げ端部を当接することによって前止まりがなされ、さらにハウジングに対して後方からゴム栓とゴム栓押さえとが順次装着されることによって後方への抜け出しが規制されている。
【特許文献１】特開２００８−６６１１１公報
【発明の開示】
【発明が解決しようとする課題】
【０００３】
ところで、上記のシールドシェルには、収容部から外れた位置である前端側に相手側シールドシェルとの嵌合領域が確保されており、この嵌合領域の内側にインナハウジングが収容されている。このため、シールドシェルの外周面と収容部の内周面との間に隙間が生じ易く、ハウジング内でシールドシェルのがた付きが発生する可能性がある。仮に、シールドシェルのがた付きが発生すると、シールドシェルとハウジングとの係り代が浅いことから、シールドシェルがハウジングから離脱するおそれもある。
【０００４】
本発明は上記のような事情に基づいて完成されたものであって、シールドシェルのがた付きを防止することを目的とする。
【課題を解決するための手段】
【０００５】
上記の目的を達成するための手段として、請求項１の発明は、端子金具を収容する合成樹脂製のハウジングと、前記ハウジングに形成された収容部内に挿入されて、前記端子金具の周りを包囲する金属板製のシールドシェルとを備えたシールドコネクタであって、前記シールドシェルには凸部が設けられ、前記ハウジングには前記シールドシェルが前記収容部に収容された状態で前記凸部を受容する凹部が設けられており、前記凹部の内面には、前記シールドシェルの前記収容部への挿入方向と直交する方向で前記凸部と当接可能な係止面が含まれている構成としたところに特徴を有する。
【０００６】
請求項２の発明は、請求項１に記載のものにおいて、前記凸部は、その突出方向の途中で折り曲げられ、その折り曲げの先端部が前記凹部の前記係止面に当接可能とされているところに特徴を有する。
【０００７】
請求項３の発明は、請求項２に記載のものにおいて、前記凸部が前記シールドシェルの内側に向けて折り曲げられているところに特徴を有する。
【０００８】
請求項４の発明は、請求項１ないし３のいずれか１項記載のものにおいて、前記凸部は、前記シールドシェルが前記収容部に正規収容される直前の挿入終盤段階で、前記凹部内に圧入されるところに特徴を有する。
【０００９】
請求項５の発明は、請求項１ないし４のいずれか１項記載のものにおいて、前記ハウジングには前記シールドシェルの前記収容部からの抜け出しを規制するリテーナが装着され、前記リテーナには、前記ハウジングへの装着過程で前記凸部を押圧し、前記ハウジングに正規装着されるに伴って前記凸部を前記凹部に正規深さで嵌合させる押圧部が設けられているところに特徴を有する。
【発明の効果】
【００１０】
＜請求項１の発明＞
ハウジングの収容部内にシールドシェルが収容されると、凸部が凹部に受容され、凸部と凹部の係止面とがシールドシェルの収容部への挿入方向と直交する方向で互いに当接可能とされるから、シールドシェルがハウジング内で挿入方向と直交する向きに遊動するのが抑えられる。その結果、ハウジング内におけるシールドシェルのがた付きが防止され、ハウジングに対するシールドシェルの保持状態が確実に保たれる。
【００１１】
＜請求項２の発明＞
凸部が突出方向の途中で折り曲げられ、その折り曲げの先端部を凹部の係止面に当接可能とした形態であるから、成形が容易であるとともに、構造の簡素化を図れる。
【００１２】
＜請求項３の発明＞
凸部がシールドシェルの内側に向けて折り曲げられることでシールドシェルの外側に出っ張らないから、シールドシェル及びこれを収容するハウジングが大型化するのを回避できる。
【００１３】
＜請求項４の発明＞
凸部がシールドシェルの収容部への挿入終盤段階で凹部内に圧入されるから、挿入初期段階で凹部内に圧入される場合に比べ、シールドシェルの挿入力が増加するのが抑えられる。
【００１４】
＜請求項５の発明＞
仮に、シールドシェルが収容部内に正規深さで挿入されず半挿入位置に留め置かれていると、凸部が凹部内に受容されずシールドシェルのがた付きを防止し得ない可能性がある。しかるに本発明によれば、シールドシェルが半挿入位置に留め置かれたとしても、リテーナの装着過程で押圧部が凸部を押圧し、リテーナが正規装着されるに伴って凸部が凹部内に正規深さで嵌合されるから、シールドシェルのがた付きが確実に防止される。
【発明を実施するための最良の形態】
【００１５】
＜実施形態１＞
本発明の実施形態１を図１ないし図９によって説明する。本実施形態のコネクタ１０は、相手側の雄型コネクタ８０と嵌合可能とされる雌型コネクタであって、合成樹脂製のハウジング２０と、金属板製のシールドシェル４０と、金属板製の端子金具６０とを備えている。なお、以下の説明において前後方向については両コネクタ１０、８０の嵌合面側を前方とする。
【００１６】
相手側の雄型コネクタ８０は合成樹脂製の雄側ハウジング８１を備えている。雄側ハウジング８１は、図１に示すように、内側に位置してシールド電線８２の端末に接続された雄側端子金具８３を収容する雄側インナハウジング８４と、外側に位置して雄側インナハウジング８４を取り囲む雄側アウタハウジング８５とからなり、雄側アウタハウジング８５には角筒状のフード部８６が一体に形成されている。フード部８６の上壁でかつ開口縁寄りの幅方向中央部には、両コネクタ１０、８０を嵌合状態に保持するためのロック受け部８７が形成されている。雄側インナハウジング８４にはその奥壁から前方へ向けて雄側端子金具８３のタブ８８が突出して形成されている。このタブ８８はフード部８６内に配置されている。雄側インナハウジング８４と雄側アウタハウジング８５との間には、雄型コネクタ８０側のシールドを行うための雄側シールドシェル８９が備えられている。雄側シールドシェル８９内には雄側インナハウジング８４が収容されている。雄側シールドシェル８９は導電性の金属板を雄側インナハウジング８４の外面全周に沿うようにして角筒状に折り曲げて形成したものであり、雄側ハウジング８１に組み込まれた状態ではその前部がフード部８６内に突出状態で配置されるようになっている。
【００１７】
雄側ハウジング８１の嵌合相手となるハウジング２０は、図２に示すように、雌側の端子金具６０を収容するインナハウジング２１と、インナハウジング２１の周りを外側から取り囲むアウタハウジング２２とからなる。インナハウジング２１とアウタハウジング２２との間には、コネクタ１０側のシールドを行うためのシールドシェル４０が備えられている。シールドシェル４０内にはインナハウジング２１が収容され、シールドシェル４０の内周面にインナハウジング２１の外周面が密着可能とされている。
【００１８】
ここで、端子金具６０及びこれに接続されるシールド電線９０について説明すると、端子金具６０は導電性の金属板を曲げ加工等して形成され、図１に示すように、前部に上記したタブ８８と接続可能な筒状の端子接続部６１を有し、後部にシールド電線９０と接続可能なバレル部６２を有している。シールド電線９０は中心部に芯線９１が配され、その外側へ順に絶縁用の内部シース９２、編組線９３、外部被覆９４がそれぞれ同心で配されている。シールド電線９０の端末では、内部シース９２が皮剥ぎされて芯線９１が露出され、その露出部分には端子金具６０のバレル部６２がかしめ付けにより接続されている。また、芯線９１が露出された部分の直後には外部被覆９４が所定長さの範囲に亘って皮剥ぎされており、ここに露出された編組線９３は外部被覆９４へと反転させられることにより、内部シース９２が露出されている。反転された編組線９３にはシールドシェル４０が接続されている。なお、雄型コネクタ８０側のシールド電線８２もその基本構造は上記したシールド電線９０と同じである。
【００１９】
シールドシェル４０は、導電性の金属板をインナハウジング２１の外面全周に沿うようにして角筒状の折り曲げて形成したものであり、ハウジング２０の略全長に亘る前後長をもって構成されている。このシールドシェル４０は、シェル本体４１とシェルカバー４２とからなり、さらにシェル本体４１は、図９に示すように、前部に位置する角筒状の第１接続部４３と、後部に位置するオープンバレル状の第２接続部４４と、第１接続部４３と第２接続部４４との間に位置する括れ部４５とからなる。括れ部４５は、第１接続部４３の後端から第２接続部４４の前端にかけて次第に幅寸法を狭める形態とされている。
【００２０】
第１接続部４３の上壁の上面には、図８に示すように、アウタハウジング２２に係止可能な係止突部４６が上向きに叩き出して形成されている。係止突部４６は、幅方向に長い矩形状をなし、その幅方向中央部に、後方へ向けて上り勾配となるテーパ状の案内部４７が形成されている。また、第１接続部４３の上下両壁の前端中央部には、インナハウジング２１の前止まりを行う当て止め片４８が内向きに曲げ起こして形成されている。当て止め片４８は、第１接続部４３の前端より後退した位置からほぼ垂直に起立する形態とされている。また、第１接続部４３の上壁の幅方向両側部には、図２にも示すように、インナハウジング２１の後方への抜けを規制する抜け止め片４９が内向きでかつ斜め前方へ切り起こして形成されている。
【００２１】
図９に示すように、第１接続部４３の下壁の略後半部は全幅に亘って切り欠かれた開口部５０とされている。この開口部５０はのちにシェルカバー４２によって閉塞されるようになっている。第１接続部４３の両側壁には、上記した開口部５０を臨む下端縁に、一対の凸部５１が設けられている。凸部５１は両側壁の下端縁から突出するとともに同下端縁に沿って前後方向に細長く延出しており、シールドシェル４０全体から見ると、凸部５１のみが下方へ突き出た形態とされている。より詳しく言えば凸部５１は、開口部５０の前端より少し後端した位置から開口部５０の後端に至るまでの範囲に配置され、図８に示すように、第１接続部４３の両側壁と連続しつつほぼ垂直に突出する基端部５１Ａと、基端部５１Ａの下端からシールドシェル４０の内側へ向けてほぼ水平に突出する先端部５１Ｂ（折り曲げの先端部）とからなり、全体としてＬの字形の断面形状をなしている。かかる凸部５１は後述するアウタハウジング２２の凹部３６に嵌合されるようになっている。
【００２２】
第２接続部４４は、第１接続部４３の上壁及び括れ部４５に連続する基壁５２と、その両側から下向きに突出する一対のかしめ片５３とからなる。両かしめ片５３はシールド電線９０に巻き付けられて編組線９３にかしめ接続されるようになっている。両かしめ片５３の先端部には接続片５４が外向きに張り出して形成され、上壁には前後に間隔をあけて接続孔５５が貫通して形成されている。第２接続部４４における下向きの開口領域は、第１接続部４３の開口部５０とともにシェルカバー４２によって閉塞され、シェルカバー４２に対して接続片５４及び接続孔５５が係合することにより、シェルカバー４２がシェル本体４１に固定されるようになっている。
【００２３】
インナハウジング２１には、図１に示すように、端子金具６０を収容するキャビティ２３が前後に貫通して形成されている。インナハウジング２１の前端角部の幅方向中央部には、当て止め片４８を嵌合可能な当て受け部２４が切り欠いて形成されている。また、インナハウジング２１の上壁の両側部には、抜け止め片４９を嵌合可能な抜け受け部２５が凹み形成されている。インナハウジング２１は、当て受け部２４に当て止め片４８を嵌合当接させるとともに、抜け受け部２５に抜け止め片４９を弾性的に係止させることにより、シールドシェル４０内に移動規制状態に保持されるようになっている。
【００２４】
続いてアウタハウジング２２について説明すると、アウタハウジング２２は、全体として筒状をなし、図５に示すように、その内部に、インナハウジング２１を収容可能な収容部２６が前後に貫通して形成されている。アウタハウジング２２の上面にはその前端から後方へ延出する撓み可能なロックアーム２７が形成されている。アウタハウジング２２の前端部はロックアーム２７もろともフード部８６内に嵌合され、両コネクタ１０、８０が正規に嵌合されるに伴ってロックアーム２７がロック受け部８７を弾性的に係止することにより、両コネクタ１０、８０が嵌合状態にロックされるようになっている。
【００２５】
また、アウタハウジング２２の下壁には、その前後方向中央より少し後方に、平板状のリテーナ２８が可撓性のヒンジ２８Ａを介して回動可能に一体に連なっている。リテーナ２８は、ヒンジ２８Ａを中心として回動することで、収容部２６の略後半部を開放する開状態とこれを閉止する閉状態（装着状態）とに変位可能とされ、閉状態ではアウタハウジング２２の下壁とほぼ水平に連続するようになっている。リテーナ２８の内面の後端部には、括れ部４５の後縁に後方から当接することでシールドシェル４０の後方への抜け止めをなす抜け止め部２９が立設されている。図７に示すように、抜け止め部２９はリテーナ２８の全幅に亘って延出する形態であり、その両側面に、一対の保持突起３０が外向きに張り出して形成されている。保持突起３０の前面はリテーナ２８の回動規制に沿った円弧面とされている。保持突起３０は、リテーナ２８の回動過程で、収容部２６の内壁の両側面に凹み形成された保持受け部３１に嵌合しつつ円弧面によってリテーナ２８の回動動作を案内し、リテーナ２８が閉状態になると、保持受け部３１に緊密に嵌合してリテーナ２８をアウタハウジング２２に回動規制状態で保持するようになっている。また、リテーナ２８の内面の前端両側部には、一対の押圧部３２が立設されている。押圧部３２は、シールドシェル４０がアウタハウジング２２に正規深さで挿入されていない場合に、リテーナ２８の回動過程で凸部５１に後方から当接して凸部５１を前方へ押しやり、リテーナ２８が閉状態となるに伴って凸部５１を後述する凹部３６に正規深さで嵌合させて、シールドシェル４０を正規挿入位置に至らす役割をもっている。
【００２６】
収容部２６の内壁の上面には、幅方向の中央部に、係止突部４６に係止可能な係止段部３３が突設されている。係止段部３３の後面は後方へ向けて上向き勾配となるテーパ状の案内面３３Ａとされ、シールドシェル４０の挿入過程では係止突部４６の案内部４７に案内面３３Ａが摺接してシールドシェル４０の通過が許容されている。シールドシェル４０がアウタハウジング２２に正規挿入されると、係止突部４６が係止段部３３を乗り越えてその前端に係止され、これによってシールドシェル４０の後方への抜け出しが規制される。シールドシェル４０の外周面と収容部２６の内周面との間には隙間が形成され、このうち、係止段部３３より前方の隙間は、図２に示すように、両コネクタ１０、８０の嵌合時に相手側の雄側シールドシェル８９が嵌合する組付空間３４とされている。
【００２７】
また、収容部２６の内壁の下面には、図５に示すように、シールドシェル４０を下支えするフラットな上端面をもった台部３５が形成されており、この台部３５の前方に上記した組付空間３４が一段低くなって配置されている。そして、収容部２６の内壁には、台部３５の幅方向の両端部に、シールドシェル４０の正規挿入時に凸部５１を受容する一対の凹部３６が設けられている。凹部３６は、係止段部３３よりも前方に位置しており、前後方向に少し延出して台部３５の後端面及び上端面に開口する形態とされている。より詳しく言えば凹部３６は、図７に示すように、収容部２６の内壁の両側面に連続するようほぼ垂直に延出して凸部５１の基端部５１Ａを受容する基端受け部３６Ａと、基端受け部３６Ａの下端からアウタハウジング２２の内側へ向けてほぼ水平に延出して凸部５１の先端部５１Ｂを受容する先端受け部３６Ｂとからなり、全体としてＬの字の断面形状をなしている。先端受け部３６Ｂの内壁の上下両面は凸部５１の先端部５１Ｂの上下両面と高さ方向で当り合う係止面３６Ｆとされている。そして、先端受け部３６の係止面３６Ｆの後端縁には、凸部５１を円滑に誘い込むべくテーパ状に拡開形成されている。
【００２８】
次に、本実施形態の作用を説明する。  
シールド電線９０の端末に端子金具６０を接続させ、その状態で端子金具６０をインナハウジング２１のキャビティ２３内に後方から挿入する。続いて、この端子金具６０を収容したインナハウジング２１をシールドシェル４０のシェル本体４１に組み付ける。インナハウジング２１がシェル本体４１に正規に組み付けられると、当て止め片４８によってインナハウジング２１の前止まりがなされるとともに、抜け止め片４９によってインナハウジング２１の後方への抜け止めがなされ、これによってインナハウジング２１がシェル本体４１に移動規制状態に保持される。次いで、シェル本体４１にシェルカバー４２を被せ付け、シールドシェル４０によって端子金具６０及びシールド電線９０のシールド領域の周りを全周に亘って包囲する。
【００２９】
アウタハウジング２２側ではリテーナ２８を開状態とし、その状態で収容部２６内に後方から上記したシールドシェル４０を挿入する。シールドシェル４０が収容部２６に正規挿入される直前の挿入終盤段階に至ると、係止突部４６が係止段部３３に弾性的に乗り上げられるとともに、凸部５１が凹部３６内に進入して、凸部５１の先端部５１Ｂが凹部３６の先端受け部３６Ｂに圧入される。なお、凸部５１の基端部５１Ｂは凹部３６の基端受け部３６Ａに遊嵌され、シールドシェル４０の挿入抵抗が大きくなるのを回避可能としてある。
【００３０】
図２に示すように、シールドシェル４０が収容部２６に正規挿入されると、係止突部４６が係止段部３３を乗り越えてその前端を係止するとともに、凸部５１が凹部３６の奥端に当接可能に配置される。こうして凸部５１が凹部３６の奥端に当接可能とされることで、アウタハウジング２２内におけるシールドシェル４０のそれ以上の前進が規制され、つまりはシールドシェル４０の前止まりがなされる。このとき、凸部５１の先端部５１Ｂは凹部３６の係止面３６Ｆと高さ方向で緊密に当接している。したがって、シールドシェル４０が高さ方向に遊動するのが抑えられるとともに、幅方向にも遊動するのが抑えられる。その後、図４に示すように、リテーナ２８を閉状態とすると、抜け止め部２９が括れ部４５の後端に後方から当接可能に配置されるとともに、押圧部３２が凸部５１の後端に後方から当接可能に配置され、これによってシールドシェル４０の収容部２６からの離脱が規制される。そして、図１に示すように、コネクタ１０が雄型コネクタ８０のフード部８６内に嵌合され、これによってシールドシェル４０が雄側シールドシェル８９に嵌合されるとともに、端子金具６０が雄側端子金具８３に導通接続される。
【００３１】
ところで、シールドシェル４０が収容部２６内に挿入されたときに、シールドシェル４０が収容部２６内の正規挿入位置に至らず半挿入位置に留め置かれる場合がある。その場合、凸部５１が凹部３６内に嵌合される位置に到達していない可能性があるため、シールドシェル４０が遊動するおそれがある。しかるに本実施形態によれば、図３に示すように、仮にシールドシェル４０が半挿入位置で留め置かれていても、リテーナ２８の回動過程で、押圧部３２が凸部５１を押圧してシールドシェル４０全体を前進させ、リテーナ２８が閉状態となるに伴い、凸部５１が凹部３６内に正規深さで嵌合するのを誘導するため、シールドシェル４０が半挿入位置に留まることはない。
【００３２】
以上説明したように本実施形態によれば、シールドシェル４０が収容部２６内に正規挿入されたときに、シールドシェル４０の凸部５１がインナハウジング２１の凹部３６内に圧入状態で嵌合することにより、シールドシェル４０の高さ方向及び幅方向の遊動が規制される。つまり、シールドシェル４０がハウジング２０内で挿入方向と直交する向きに遊動するのが抑えられ、その結果、ハウジング２０内におけるシールドシェル４０のがた付きが防止される。
【００３３】
また、凸部５１が突出方向の途中で折り曲げられ、その先端部５１Ｂを凹部３６の係止面３６Ｆに当接可能とした形態とされているから、成形が容易であるとともに、構造の簡素化を図れる。しかも、凸部５１がシールドシェル４０の内側に向けて折り曲げられることでシールドシェル４０の外側に出っ張らないから、シールドシェル４０及びこれを収容するハウジング２０が大型化するのを回避できる。
【００３４】
さらに、凸部５１がシールドシェル４０の収容部２６への挿入終盤段階で凹部３６内に圧入されるから、挿入初期段階で凹部３６内に圧入される場合に比べ、シールドシェル４０の挿入力が増加するのが抑えられる。
【００３５】
さらにまた、シールドシェル４０が半挿入位置に留め置かれた場合に、リテーナ２８の装着過程で押圧部３２が凸部５１を押圧し、リテーナ２８が正規装着されるに伴って凸部５１が凹部３６内に正規深さで嵌合されるから、シールドシェル４０が正規挿入位置に確実に至らしめられるとともに、シールドシェル４０のがた付きが確実に防止される。
【００３６】
＜他の実施形態＞
本発明は上記記述及び図面によって説明した実施形態に限定されるものではなく、例えば次のような実施形態も本発明の技術的範囲に含まれる。  
（１）凸部は、凹部内に圧入状態で嵌合されるのではなく、凹部の内面に当接可能に嵌合されるだけでもよい。  
（２）凸部の全体が凹部に圧入される構成であってもよい。  
（３）リテーナは、アウタハウジングとは別体に設けられてもよい。この場合においても、リテーナには凸部を押圧可能な押圧部が設けられているのが望ましい。もっとも、場合によってはリテーナを省略しても構わない。  
（４）ハウジングは、インナハウジングとアウタハウジングとに分割されず、一体に成形されるものであってもよい。  
（５）本発明は雄型コネクタにも適用可能である。
【図面の簡単な説明】
【００３７】
【図１】本発明の実施形態１のコネクタが相手側の雄型コネクタと嵌合された状態を示す側断面図である。
【図２】リテーナを開状態として、アウタハウジングの収容部内にシールドシェルが正規挿入された状態を示す側断面図である。
【図３】シールドシェルが半挿入状態のときに、リテーナの押圧部が凸部を押圧する状態を示す側断面図である。
【図４】アウタハウジングの収容部内にシールドシェルが正規挿入され、リテーナを閉状態とした状態を示す側断面図である。
【図５】リテーナを開状態としたときのアウタハウジングの側断面図である。
【図６】リテーナを開状態としたときのアウタハウジングの正面図である。
【図７】リテーナを開状態としたときのアウタハウジングの背面図である。
【図８】シールドシェルの正面図である。
【図９】シールドシェルの底面図である。
【符号の説明】
【００３８】
１０…コネクタ
２０…ハウジング
２１…インナハウジング
２２…アウタハウジング
２６…収容部
２８…リテーナ
３２…押圧部
３６…凹部
３６Ｆ…係止面
４０…シールドシェル
５１…凸部
６０…端子金具
９０…シールド電線
【図１】
2010021046.tif 000003
【図２】
2010021046.tif 000004
【図３】
2010021046.tif 000005
【図４】
2010021046.tif 000006
【図５】
2010021046.tif 000007
【図６】
2010021046.tif 000008
【図７】
2010021046.tif 000009
【図８】
2010021046.tif 000010
【図９】
2010021046.tif 000011